(57)【要約】【課題】様々なものに対応でき、かつ、その観光地における景色や名場面や思い出を、幻想的に空中に浮かび上がらせて再現させることが可能な投影ボックスを提供する。【解決手段】底板１１と、側壁体１２と、上面１３とにより構成されている筐体１の上部空間に立体成型物の投影画像を表示させる投影ボックス１０であって、筐体１の内部に、表示させる立体成型物の投影画像の見た目の立体形状とは凹凸が前後逆向きに成型された立体成型部品２と、筐体１の内部の下方から上方に向けて発光するように配置されたＬＥＤ基板３と、筐体１の上面（プレートカバー）１３に接するように配置された画像結像プレート４とを備え、筐体１の側壁体１２は、投影ボックス１０を正面から見た際の奥側が上面１３の奥側よりも高い位置まで設けられており、当該高くなった奥側の位置に正面から見た際に視認できる背景部が形成されている。【選択図】図２
2019063477.tif 000002
【特許請求の範囲】
【請求項１】
底板と、側壁体と、上面とにより構成されている筐体の上部空間に立体成型物の投影画像を表示させる投影ボックスであって、
前記上面は、前記投影ボックスをユーザが正面から見た際の手前側が低く、奥側が高くなるように斜めに配置された、透明なプレートカバーであり、
前記筐体の内部には、前記表示させる立体成型物の投影画像の見た目の立体形状とは凹凸が前後逆向きに成型された立体成型部品と、前記筐体の内部の下方から上方に向けて発光するように配置されたＬＥＤ基板と、前記筐体の上面である前記プレートカバーに接するように配置された画像結像プレートとが設置されており、
前記側壁体は、前記投影ボックスをユーザが正面から見た際の奥側が前記上面の奥側よりも高い位置まで設けられており、当該高くなった奥側の位置に前記投影ボックスをユーザが正面から見た際に視認できる背景部が形成されており、
前記立体成型部品は、前記表示させる立体成型物の投影画像の見た目とは上下逆向きに、前記画像結像プレートに接するように設置されている
ことを特徴とする投影ボックス。
【請求項２】
底板と、側壁体と、上面とにより構成されている筐体の上部空間に立体成型物および写真の投影画像を表示させる投影ボックスであって、
前記上面は、前記投影ボックスをユーザが正面から見た際の手前側が低く、奥側が高くなるように斜めに配置された、透明なプレートカバーであり、
前記筐体の内部には、前記表示させる立体成型物の投影画像の見た目の立体形状とは凹凸が前後逆向きに成型された立体成型部品と、前記筐体の内部の下方から上方に向けて発光するように配置されたＬＥＤ基板と、前記筐体の上面である前記プレートカバーに接するように配置された画像結像プレートと、前記写真の画像を印刷した透明フィルムとが設置されており、
前記側壁体は、前記投影ボックスをユーザが正面から見た際の奥側が前記上面の奥側よりも高い位置まで設けられており、当該高くなった奥側の位置に前記投影ボックスをユーザが正面から見た際に視認できる背景部が形成されており、
前記写真の画像を印刷した透明フィルムは、前記立体成型部品に対して前記画像結像プレートとは反対側に配置され、前記立体成型部品と一体になった立体成型二層部品を形成しており、
前記立体成型二層部品は、前記表示させる立体成型物および写真の投影画像の見た目とは上下逆向きに、前記画像結像プレートに接するように設置されている
ことを特徴とする投影ボックス。
【請求項３】
底板と、側壁体と、上面とにより構成されている筐体の上部空間に立体成型物および写真ならびにデザインの投影画像を表示させる投影ボックスであって、
前記上面は、前記投影ボックスをユーザが正面から見た際の手前側が低く、奥側が高くなるように斜めに配置された、透明なプレートカバーであり、
前記筐体の内部には、前記表示させる立体成型物の投影画像の見た目の立体形状とは凹凸が前後逆向きに成型された立体成型部品と、前記筐体の内部の下方から上方に向けて発光するように配置されたＬＥＤ基板と、前記筐体の上面である前記プレートカバーに接するように配置された画像結像プレートと、前記写真の画像を印刷した透明フィルムと、前記立体成型部品と前記画像結像プレートとの間に配置された前記デザインが施されている透明凹凸板、および、当該透明凹凸板の下方端部から上方端部に向けてまたは上方端部から下方端部に向けて発光するように配置されたデザイン用ＬＥＤ基板が設置されており、
前記側壁体は、前記投影ボックスをユーザが正面から見た際の奥側が前記上面の奥側よりも高い位置まで設けられており、当該高くなった奥側の位置に前記投影ボックスをユーザが正面から見た際に視認できる背景部が形成されており、
前記写真の画像を印刷した透明フィルムは、前記立体成型部品に対して前記画像結像プレートとは反対側に配置され、前記立体成型部品と一体になった立体成型二層部品を形成しており、
前記立体成型二層部品および前記透明凹凸板は、前記表示させる立体成型物および写真ならびにデザインの投影画像の見た目とは上下逆向きに、前記画像結像プレートに接するように設置されている
ことを特徴とする投影ボックス。
【発明の詳細な説明】
【技術分野】
【０００１】
この発明は、主に観光地における、お土産用、置物用の投影ボックスに関するものである。
【背景技術】
【０００２】
従来より、名所・旧跡等の観光地や遊園地等の観光地においては、思い出や記念になるように、その観光地における代表的な風景や建物をかたどったものや、キャラクターの形状をしたものなど、お土産用、置物用の様々な商品が製作されて販売されている（例えば、特許文献１参照）。
【先行技術文献】
【特許文献】
【０００３】
【特許文献１】実用新案登録第３０４４４４１号公報
【発明の概要】
【発明が解決しようとする課題】
【０００４】
しかしながら、従来のお土産用、置物用の商品は、その観光地における建物やキャラクター専用に製作して販売されるものであり、販売者側にとっては、人気がない商品だった場合に在庫をかかえてしまうことになる、という危惧があった。また、ユーザにとっては、物によっては大きすぎたり中途半端な大きさだったりするため、自宅に帰ってからその置き場所に困ることがあったり、単に可愛らしいというだけで、その観光地に行ったときのことを思い出すほどのインパクトはないこともあった。
【０００５】
この発明は、上記のような課題を解決するためになされたものであり、様々なものに対応でき、かつ、その名所・旧跡や遊園地等の観光地における景色や名場面や思い出を、幻想的に空中に浮かび上がらせて再現させることが可能な投影ボックスを提供することを目的とする。
【課題を解決するための手段】
【０００６】
上記目的を達成するため、この発明は、底板と、側壁体と、上面とにより構成されている筐体の上部空間に立体成型物の投影画像を表示させる投影ボックスであって、前記上面は、前記投影ボックスをユーザが正面から見た際の手前側が低く、奥側が高くなるように斜めに配置された、透明なプレートカバーであり、前記筐体の内部には、前記表示させる立体成型物の投影画像の見た目の立体形状とは凹凸が前後逆向きに成型された立体成型部品と、前記筐体の内部の下方から上方に向けて発光するように配置されたＬＥＤ基板と、前記筐体の上面である前記プレートカバーに接するように配置された画像結像プレートとが設置されており、前記側壁体は、前記投影ボックスをユーザが正面から見た際の奥側が前記上面の奥側よりも高い位置まで設けられており、当該高くなった奥側の位置に前記投影ボックスをユーザが正面から見た際に視認できる背景部が形成されており、前記立体成型部品は、前記表示させる立体成型物の投影画像の見た目とは上下逆向きに、前記画像結像プレートに接するように設置されていることを特徴とする。
【発明の効果】
【０００７】
この発明の投影ボックスによれば、名所・旧跡や遊園地等の観光地における風景や建物やキャラクターなど、様々なものに対応できるというメリットがあるとともに、その名所・旧跡や遊園地等の観光地における景色や名場面や思い出を、幻想的に空中に浮かび上がらせて再現させることができ、ユーザが、楽しかった夢のひとときを思い出して幸せな気分に浸ることができるなど、ユーザに対して癒し効果を与えることができる。
【図面の簡単な説明】
【０００８】
【図１】実施の形態１における投影ボックスの外観の一例を示す図である。
【図２】実施の形態１における投影ボックスの概略構成を示す構成図である。
【図３】実施の形態１における投影ボックスの筐体１の上面１３の説明図である。
【図４】実施の形態１における投影ボックスの筐体１の上面１３の上部空間に表示させる投影画像の一例を示す説明図である。
【図５】実施の形態１における投影ボックスの筐体１の内部に設置される立体成型部品２の一例を示す説明図である。
【図６】図４および図５で示した立体成型部品２を筐体１の内部に設置して、それに対応するキャラクターの投影画像（空中画像）２１が投影される原理を説明する説明図である。
【図７】実施の形態１における投影ボックスの外観の別の一例を示す斜視図である。
【図８】実施の形態２における投影ボックスの外観の一例を示す図である。
【図９】実施の形態２における投影ボックスの概略構成の一例を示す構成図である。
【図１０】図８に示す例で使用されている立体成型部品２と、写真の画像を印刷した写真フィルム５を示す説明図である。
【図１１】実施の形態２における投影ボックスの概略構成の別の一例を示す構成図である。
【図１２】透明凹凸板６の具体例を示す説明図である。
【図１３】実施の形態２における投影ボックスの外観の別の一例を示す図である。
【発明を実施するための形態】
【０００９】
この発明は、筐体の上部空間に立体成型物の投影画像を表示させる投影ボックスに関するものである。表示させる投影画像としては、名所や旧跡の景色や建物、遊園地等のキャラクター、スポーツ選手やアーティスト等の人物など、立体的に表すことができるものであれば、どのようなものであってもよい。
以下、この発明の実施の形態について、図面を参照しながら詳細に説明する。
【００１０】
実施の形態１．
図１は、この発明の実施の形態１における投影ボックスの外観の一例を示す図であり、図１（ａ）は正面から見た外観図、図１（ｂ）は斜視図であり、投影ボックス１０の筐体の上部空間に投影画像（空中画像）２１が表示されている状態を示している。また、図２は、この発明の実施の形態１における投影ボックスの概略構成を示す構成図であり、この投影ボックス１０を右側面方向から見た内部構成図である。
【００１１】
図１および図２に示すように、この実施の形態１における投影ボックス１０は、底板１１と、その底板１１の周辺に沿って立ち上がるように設けられた側壁体１２と、上面１３により構成される筐体１を備えるものであり、上面１３は透明なプレートカバーにより構成されている。また、その筐体１の内部には、筐体１の上部空間に表示させる投影画像（空中画像）２１に対応する立体成型部品２、筐体１の内部の下方から上方に向けて発光するように配置されたＬＥＤ基板３、筐体１の上面（プレートカバー）１３に接するように配置された画像結像プレート４が設置されている。
【００１２】
この実施の形態１では、筐体１の底板１１は、円形状であるものとして説明するが、正方形や長方形や、正六角形や正八角形等の正多面体形状や、楕円形状、その他、角が少しだけ丸くなった正方形に近い形状などであってもよい。なお、この実施の形態１では、底板１１の直径は１００ｍｍ以下としているが、これはあくまでも一例であり、大きさについてはどのような大きさであってもよい。
【００１３】
また、上面（プレートカバー）１３は、その上部空間に表示された投影画像（空中画像）２１をユーザにとって視認しやすいようにするため、投影ボックス１０をユーザが正面から見た際の手前側が低く、奥側が高くなるように斜めに配置された平面である。図２に示す例では、上面（プレートカバー）１３は水平方向に対して２０度傾けられた状態となっているが、２０〜３０度程度の傾斜を設けることが好ましい。そして、底板１１が円形状であるこの実施の形態１では、上面（プレートカバー）１３は楕円形状となる（後述する図３参照）。なお、上面（プレートカバー）１３の水平方向に対する角度については、筐体１の上部空間に表示された投影画像（空中画像）２１がユーザにとって視認しやすい角度となるよう、筐体１の形状やデザインに応じて適した角度とすればよい。
【００１４】
さらに、この実施の形態１では底板１１が円形状であるため、その底板１１の周辺に沿って垂直に設けられた側壁体１２は、円柱状である。この際、上面（プレートカバー）１３が斜めに配置されていることにより、側壁体１２も、投影ボックス１０をユーザが正面から見た際の手前側が低く、奥側が高くなるように斜めに形成されるとともに、奥側は上面（プレートカバー）１３の奥側よりもさらに高い位置まで設けられており、その高くなった奥側の位置に、投影ボックス１０をユーザが正面から見た際に投影画像（空中画像）２１の背景として視認できる背景部１２Ａが立ち上がって形成されている。その結果、図１（ｂ）および図２に示されているように、側壁体１２は、側面から見た場合であっても、手前側から奥側に向けて柔らかい曲線になるように形成されている。
【００１５】
なお、この実施の形態１では、側壁体１２は底板１１から垂直に立ち上がっているものとして説明するが、底板１１と側壁体１２と上面（プレートカバー）１３とによって筐体１が形成され、その筐体１の内部に前述のような立体成型部品２とＬＥＤ基板３と画像結像プレート４を保持することができる形状であれば、必ずしも底板１１から垂直に立ち上がっている必要はない。
【００１６】
図３は、この発明の実施の形態１における投影ボックスの筐体１の上面（プレートカバー）１３の説明図であり、図３（ａ）は、上面（プレートカバー）１３を平面に置いた場合に真上から見た状態を示しており、図３（ｂ）は、筐体１の内部に、投影画像（空中画像）２１に対応する立体成型部品２を入れていない場合、または、立体成型部品２はあるもののＬＥＤの電源を入れていないために投影画像（空中画像）２１が浮かび上がっていない状態を示す、投影ボックス１０の正面図である。なお、ＬＥＤ発光用にはボタン電池（図示せず）等を筐体１の内部に設置し、スイッチ（図示せず）等によってＬＥＤの電源をＯＮ／ＯＦＦすることができるようにすればよい。
【００１７】
そして、図２に示すように、筐体１の内部には、筐体１の上面１３であるプレートカバーに接するように画像結像プレート４が設置されている。すなわち、画像結像プレート４は、筐体１の最上部、すなわち、筐体１の上面（プレートカバー）１３に接するように設置されている。なお、図３（ａ）に示す例では、画像結像プレート４が縦に長い長方形であるように配置されているが、表示させる投影画像の種類や大きさに合わせて、ほぼ正方形であってもよいし、横に長い長方形となるように配置してあってもよい。
【００１８】
また、図３（ａ）に示すように、上面（プレートカバー）１３は楕円形状であり、裏面には、その上面（プレートカバー）１３に接するように配置されている長方形の画像結像プレート４が接する部分以外の部分（図３（ａ）中の斜線部）に、例えば黒色等の、筐体１の上部空間に表示させる投影画像２１の輪郭部分と同じ色の印刷が施されている。これは、画像結像プレート４を介して表示させる投影画像２１の輪郭を強調させず、投影ボックス１０と一体感のある自然な投影画像２１とするためである。なお、ここでは上面（プレートカバー）１３の裏面に色を印刷するものとして説明するが、印刷以外にも、ステッカーやシールを貼るなど、画像結像プレート４と重なる部分以外の部分の色を変えることができる手法であれば、どのような方法で行ってもよいことは言うまでもない。
【００１９】
画像結像プレート４は、筐体１の上面（プレートカバー）１３の上部空間に、例えば名所・旧跡や遊園地等の観光地における建物やキャラクターを、ユーザが視認可能な投影画像（空中画像）２１として表示させるためのものである。この画像結像プレート４としては、例えば、株式会社アスカネットのエアリアルイメージングプレート等を用いればよい。なお、このような画像結像プレートに用いられている空中結像技術については、周知の技術であるので、ここでは説明を省略する。
【００２０】
ここで、投影画像２１の輪郭部分について説明する。投影画像２１の輪郭部分というのは、図１における投影画像２１の周りの破線の周囲の部分のことである。図１における投影画像２１の周りの破線は、投影画像２１の周りに広がる光を示している。筐体１の内部で、色のついた立体成型部品２に下方からＬＥＤの光を当てることにより、投影画像２１が筐体１の上部空間に浮かび上がって見えるとともにその周りにも光が広がって見える。そして、画像結像プレート４を介して浮かび上がる投影画像２１およびその周りの光の周囲には、画像結像プレート４の大きさや形に応じた輪郭部分も投影されて浮かび上がるので、上面（プレートカバー）１３の裏面の画像結像プレート４が接する部分以外の部分を、その投影画像２１の輪郭部分と同じ色にしておくことにより、違和感のない自然な投影画像２１を浮かび上がらせることができるのである。
【００２１】
また、図３（ｂ）に示すように、側壁体１２の背景部１２Ａには、背景となるステッカーやシール等が貼り付けられていたり、背景模様が印刷されており、この背景部１２Ａを設けたことにより、奥行きのある場面を創り出すことができる。すなわち、この実施の形態１では、基本的には、筐体１の上面１３であるプレートカバーの裏面の画像結像プレート４が接する部分以外の部分（図３（ｂ）中の斜線部）と、側壁体１２の背景部１２Ａ（図３（ｂ）中の破線の斜線部）との、いずれにも、筐体１の上部空間に表示させる投影画像２１の輪郭部分と同じ色が施されている。
【００２２】
このように、筐体１の上面（プレートカバー）１３の裏面の画像結像プレート４が接する部分以外の部分と、側壁体１２の背景部１２Ａとの、いずれにも、筐体１の上部空間に表示させる投影画像２１の輪郭部分と同じ色が施されていることにより、表示させる投影画像２１の輪郭が強調されないので、自然な投影画像（空中画像）２１とすることができる。その結果、表示させたキャラクターなどの投影画像２１をより幻想的に空中に浮かび上がらせて再現させることができ、ユーザが、楽しかった夢のひとときを思い出して幸せな気分に浸ることができるなど、ユーザに対して癒し効果を与えることができる。
【００２３】
また、筐体１の上面（プレートカバー）１３の裏面の画像結像プレート４が接する部分以外の部分と、側壁体１２の背景部１２Ａに、筐体１の上部空間に表示させる投影画像２１の輪郭部分と同じ色の背景が施されているだけでなく、例えば星が散りばめられていたり、幻想的な空間を演出できるような模様や風合いの背景が形成されるようにするなど、様々なバリエーションを施すことも可能である。このように、筐体１の上面（プレートカバー）１３の裏面の画像結像プレート４が接する部分以外の部分や、側壁体１２の背景部１２Ａに絵柄を設けるようにすれば、表示させる投影画像２１を強調したり、スケール感のある一体で見える場面などを創り出すことができ、これによっても、ユーザが、楽しかった夢のひとときを思い出して幸せな気分に浸ることができるなど、ユーザに対して癒し効果を与えることができる。
【００２４】
そして、側壁体１２の表面（手前などに見えている部分）は、塗装やステッカーなどにより色などを変更することができるので、豊富なバリエーションを視覚的に感じさせることができる。
さらに、側壁体１２の手前側正面には、例えば会社のロゴやマークなどが一部くり抜かれており、筐体１の内部のＬＥＤ基板３により、その会社のロゴやマークなどが光で透過されて表示されるようになっている。この際、ＬＥＤの色で変化をつけて光らせることにより、淡白さを解消し、美しさを感じさせることができる。
【００２５】
なお、側壁体１２の手前側の高さは、５０〜６０ｍｍ程度を想定している。この場合、この実施の形態１では、底板１１の直径を１００ｍｍ以下としているので、側壁体１２の奥側を手前側より高くしても、全体として１３０〜１５０ｍｍ程度の高さにおさえることができる。このような大きさであれば、投影ボックス１０を本棚の文庫本サイズの場所にも収納することができるなど、名所・旧跡や遊園地等の観光地において、ユーザがお土産として購入しても、その後に飾る場所をいろいろと選択できるというメリットがある。ただし、これはあくまでも一例であり、前述のとおり、大きさについてはどのような大きさであっても構わない。
【００２６】
立体成型部品２は、筐体１の上面（プレートカバー）１３の上部空間に表示させる立体成型物の投影画像２１の立体形状とはその凹凸が前後逆向きに成型された成型部品である。
図４は、この発明の実施の形態１における投影ボックス１０の筐体１の上面（プレートカバー）１３の上部空間に表示させる投影画像の一例を示す説明図である。また、図５は、この発明の実施の形態１における投影ボックス１０の筐体１の内部に設置される立体成型部品２の一例を示す説明図であり、図４に示すキャラクターの投影画像に対応する立体成型部品２を示している。
【００２７】
図４（ａ）および図４（ｂ）は、表示させたいキャラクターの投影画像の正面図、および、Ｂ方向から見た側面図である。なお、図４（ａ）に示されている破線は、上下に通る中心線であり、一点鎖線は左右に通る中心線である。また、図４（ｃ）は表示させたいキャラクターの投影画像の斜視図、図４（ｄ）は図４（ｃ）を破線（上下に通る中心線）で切った場合の断面をＢ方向から見た投影画像側面図である。
【００２８】
このように、図４に示すようなキャラクターの投影画像を筐体１の上面（プレートカバー）１３の上部空間に表示させたい場合には、筐体１の内部に、図５に示すような立体成型部品２を設置する。図５（ａ）は、図４（ｃ）の凹凸を前後逆（表裏を逆）にして裏側から見た斜視図であり、図中のＢの矢印は、図４と同じ方向からの矢印を示している。そして、図５（ｂ）は図５（ａ）を破線（上下に通る中心線）で切った場合の断面をＢ方向から見た立体成型部品２の側面図である。
【００２９】
すなわち、図２では、立体成型部品２を模式的に単なる四角形で示しているが、例えば図５に示すように、実際には凹凸のある部品である。ただし、図４および図５も、説明のために投影画像であるキャラクターをかなり模式的に表しているが、実際には、例えば図１に示すように、複雑に立体的に視認できる投影画像２１となっているので、立体成型部品２も複雑な立体形状に対応するような細かい凹凸が施されたものである。
【００３０】
なお、この立体成型部品２は、例えば、フィルムに印刷して真空成型を行うことにより多色で細かな描写の立体形状を実現することができる真空成型部品や、光を透過できる絵柄のついた樹脂、フィルム、紙などを立体形状に成型したものなどであればよい。また、この実施の形態１では、この立体成型部品２の基材厚みは０．２ｍｍ、凹凸は１０ｍｍのものを採用しているが、この基材厚みや凹凸については、立体成型部品２の大きさや形状の複雑さ、基材の材料（材質）により形状を再現しやすい厚みや凹凸になるよう、適宜調整すればよい。
【００３１】
図６は、図４および図５で示した立体成型部品２を筐体１の内部に設置して、それに対応するキャラクターの投影画像（空中画像）２１が投影される原理を説明する説明図である。立体成型部品２は、表示させるキャラクターの投影画像２１の見た目とは上下逆向きに、画像結像プレート４に接するように設置されている。ここでは、図２に示すのと同様に、立体成型部品２を水平方向に対して下方に４５度傾けて配置している。これにより、筐体１の上部空間に表示された投影画像２１は、ユーザからはほぼ垂直に見えるようになる。なお、この角度については、表示された投影画像２１がユーザからほぼ垂直に見えるように、上面（プレートカバー）１３の水平方向に対する傾斜角度と合わせて、適宜調整すればよい。
【００３２】
そして、図６に示すとおり、筐体１の内部の立体成型部品２が画像結像プレート４を介して上面（プレートカバー）１３の上部空間に投影されると、この投影ボックス１０の正面、すなわち、図中の矢印Ｃ方向の視点からは、立体成型部品２の凹凸が逆になって見える。その結果、その立体成型部品２に対応するキャラクターの投影画像（空中画像）２１が立体的に投影され、そのキャラクターが立体的に空中に浮かび上がって見える。
【００３３】
この際、筐体１の内部の底板１１に近い位置に設置されたＬＥＤ基板３によって、筐体１の内部で下方から上方に向けてＬＥＤの光が広がるので、図１に示すように、キャラクターの立体的な投影画像２１が光とともに空中に浮かび上がる。なお、図１における投影画像２１の周りの破線は、投影画像２１の周りに広がる光を示している。ここで、ＬＥＤ基板３には、フルカラーＬＥＤが２〜４つ配置されている。これは、ＬＥＤの数がこれより少ないと、十分な明るさを確保することができず、ＬＥＤの数がこれより多いと、ＬＥＤの光が漏れすぎてしまうからであるが、これについては適宜調整すればよいものであることは言うまでもない。
【００３４】
なお、この実施の形態１では、フルカラーＬＥＤを２〜４つ配置するものとしているが、ＬＥＤの光の色を変化させたり、このＬＥＤの数を変えることにより、筐体１の上部空間に浮かび上がって表示される投影画像２１の雰囲気も変化させることができるので、様々なバリエーションを提供することができる。
【００３５】
また、上面（プレートカバー）１３の裏面の画像結像プレート４が接する部分以外の箇所および背景部１２Ａを全体に投影画像２１の輪郭部分と同じ色にしているので、投影画像（空中画像）２１がより幻想的に空中に浮かび上がる。このように、この上面（プレートカバー）１３の裏面の画像結像プレート４が接する部分以外の箇所や背景部１２Ａの色や模様を変えることにより、表示させたい投影画像に合った場面や同じ投影画像であっても異なった雰囲気を創り出すことが可能となり、さらに様々なバリエーションを提供することができる。
【００３６】
このように、この実施の形態１の投影ボックスによれば、その名所・旧跡や遊園地等の観光地における景色や名場面や思い出を、幻想的に空中に浮かび上がらせて再現させることができ、楽しかった夢のひとときを思い出して幸せな気分に浸ることができるなど、癒し効果を与えることができる。
【００３７】
なお、この実施の形態１では、筐体１の底板１１が円形状の、全体として円筒形状の投影ボックス１０を例に説明したが、例えば、筐体１にさらに蓋がついているものや、筐体１の内部にオルゴールを備えていて蓋をあけるとオルゴールが鳴り始めるとともに投影画像２１が浮かび上がる投影ボックス１０であってもよい。
【００３８】
図７は、実施の形態１における投影ボックスの外観の別の一例を示す斜視図である。この図７に示す投影ボックス１０は、底板１１と側壁体１２と上面（プレートカバー）１３とにより構成されている筐体の上部空間に立体成型物の投影画像を表示させる投影ボックス１０である点においては、図１〜３に示す投影ボックス１０と同じであるが、この図７に示す投影ボックス１０は、全体としてほぼ立方体であり、さらに蓋１２Ｂがついている。
【００３９】
図７（ａ）は、蓋１２Ｂがされている状態を示しており、図７（ｂ）は、蓋１２Ｂが開けられた状態を示している。ただし、図７（ｂ）は、筐体の内部に、投影画像（空中画像）に対応する立体成型部品を入れていない場合、または、立体成型部品はあるもののＬＥＤの電源を入れていないために投影画像（空中画像）が浮かび上がっていない状態を示している。なお、実際には、蓋１２Ｂを開けるとＬＥＤの電源が入るようにしておけば、開けた途端に投影画像（空中画像）が浮かび上がって見えるようになる。
【００４０】
そして、この図７に示す投影ボックス１０は、ほぼ正方形の底板１１と、側壁体１２と、投影ボックス１０をユーザが正面から見た際の手前側が低く、奥側が高くなるように斜めに配置された上面（プレートカバー）１３を備えており、蓋１２Ｂをした状態（図７（ａ）の状態）では、上面（プレートカバー）１３は視認できていない。また、蓋１２Ｂを開けると、上面（プレートカバー）１３が視認できるようになるとともに、開けた蓋１２Ｂの裏側（内側）が、背景部１２Ａになる。
【００４１】
また、図示は省略するが、この図７のように全体としてほぼ立方体のものだけでなく、全体としてドーム球場型の外観のものや、全体として球体状の野球ボールのような外観のものなども考えられる。この場合も、その上部が蓋として開けられるようになっており、その蓋を開けると、例えば、有名な野球選手が打席に入っている様子の投影画像が浮かび上がるような商品であれば、ユーザは、その蓋を開ければ、野球場での名場面や楽しかった夢のひとときを思い出して幸せな気分に浸ることができる。
【００４２】
また、同じく図示は省略するが、例えば図１〜図３に示すような投影ボックス１０や、図７に示すようなほぼ立方体の投影ボックス１０（ただし、蓋１２Ｂはついていないもの）などを、ほぼ透明な球体に入れた状態の商品とすることも可能である。例えば、有名な野球選手が打席に入っている様子の投影画像が浮かび上がるようにした筐体１を、ほぼ透明の野球ボールに入れたものや、ほぼ透明のドーム球場型のものに入れて飾った商品であれば、ユーザは、野球場での名場面や楽しかった夢のひとときを思い出して幸せな気分に浸ることができる。
【００４３】
以上のように、この実施の形態１の投影ボックス１０によれば、筐体１の内部に、筐体１の上部空間に表示させる立体成型物の投影画像（空中画像）２１の見た目の立体形状とは凹凸が前後逆向きに成型された立体成型部品２と、筐体１の内部の下方から上方に向けて発光するように配置されたＬＥＤ基板３と、筐体１の上面（プレートカバー）１３に接するように配置された画像結像プレート４とを備え、筐体１を構成する側壁体１２が、投影ボックス１０を正面から見た際の奥側が上面（プレートカバー）１３の奥側よりも高い位置まで設けられており、そこに背景部１２Ａを形成する構成としたことにより、立体成型部品２を交換したり、背景部１２Ａの背景を交換したりするだけで、名所・旧跡や遊園地等の観光地における風景や建物やキャラクターなど、様々なものに対応できるというメリットがあるとともに、その名所・旧跡や遊園地等の観光地における景色や名場面や思い出を、幻想的に空中に浮かび上がらせて再現させることができ、ユーザが、楽しかった夢のひとときを思い出して幸せな気分に浸ることができるなど、ユーザに対して癒し効果を与えることができる。
【００４４】
また、筐体１の上面１３であるプレートカバーの裏面の画像結像プレート４が接する部分以外の部分と、側壁体１２の背景部１２Ａとの、いずれにも、筐体１の上部空間に表示させる投影画像２１の輪郭部分と同じ色が施されていることにより、表示させる投影画像２１の輪郭が強調されないので、自然な投影画像（空中画像）２１とすることができる。その結果、表示させたキャラクターなどの投影画像２１をより幻想的に空中に浮かび上がらせて再現させることができ、ユーザが、楽しかった夢のひとときを思い出して幸せな気分に浸ることができるなど、ユーザに対して癒し効果を与えることができる。
【００４５】
実施の形態２．
図８は、この発明の実施の形態２における投影ボックスの外観の一例を示す図であり、図８は正面から見た外観図であり、投影ボックス３０の筐体の上部空間に投影画像（空中画像）４１が表示されている状態を示している。また、図９は、この発明の実施の形態２における投影ボックスの概略構成の一例を示す構成図であり、この投影ボックス３０を右側面方向から見た内部構成図である。なお、実施の形態１における図１，図２で説明したものと同様の構成には、同一の符号を付して重複した説明を省略する。
【００４６】
図８および図９に示すように、この実施の形態２における投影ボックス３０は、底板１１と、その底板１１の周辺に沿って立ち上がるように設けられた側壁体１２と、上面１３により構成される筐体１を備えるものであり、上面１３は透明なプレートカバーにより構成されている。また、その筐体１の内部には、筐体１の上部空間に表示させる投影画像（空中画像）４１に対応する立体成型部品２および写真フィルム５、筐体１の内部の下方から上方に向けて発光するように配置されたＬＥＤ基板３、筐体１の上面（プレートカバー）１３に接するように配置された画像結像プレート４が設置されている。
【００４７】
この実施の形態２における投影ボックス３０は、実施の形態１における投影ボックス１０と比べると、筐体１の内部に立体成型部品２のみではなく、立体成型部品２、および、写真の画像を透明フィルムに印刷した写真フィルム５を有しており、筐体１の上部空間に立体成型物および写真の投影画像４１を表示させるものである。
写真フィルム５は、具体的にはＰＥＴフィルム等の光を透過する透明フィルムに、投影画像４１の一部として表示させる写真の画像をインクジェット印刷やスクリーン印刷によって印刷したものである。
【００４８】
また、写真フィルム５は、立体成型部品２に対して画像結像プレート４とは反対側に配置されており、立体成型部品２と一体になった立体成型二層部品を形成している。
そして、その立体成型二層部品は、筐体１の上部空間に表示させる立体成型物および写真の投影画像４１の見た目とは上下逆向きに、画像結像プレート４に接するように設置されている。
【００４９】
例えば、名所・旧跡や遊園地等の観光地における風景や建物やキャラクターなどを、立体成型部品２として用意しておき、その観光地における風景や建物やキャラクターなどの立体成型部品２とユーザが撮った写真の画像を印刷した写真フィルム５とを、ユーザが視認可能な立体成型物と写真の投影画像（空中画像）４１として表示させる。その結果、その観光地の風景などに縁どられたユーザの写真が投影画像（空中画像）４１として浮かび上がるので、より思い出深い記念の品になる。
【００５０】
この際、写真フィルム５に印刷される画像は、実際にその場で撮った写真の画像であってもよいし、過去に撮った写真を基にした画像であってもよいので、ユーザの写真だけ取り換えて使用することができるものである。すなわち、以前に撮ったお気に入りの写真を使用することも可能であるし、過去の写真を加工して使用することも可能なため、いろいろな写真を取り替えて使用して楽しむこともできる。
【００５１】
図８に示す例では、桜の季節に富士山を訪れたときのものであり、立体成型物として、富士山と桜の景色が写真の画像の額縁のように浮かび上がるようになっている。そして、図１０は、図８に示す例で使用されている立体成型部品２と、写真の画像を印刷した写真フィルム５を示す説明図である。図１０（ａ）が、立体成型部品２であり、筐体１の上部空間に投影画像（空中画像）４１として浮かび上がった際に見えるような色付けが施され、かつ、図１０（ｂ）に示す写真フィルム５に印刷された画像が浮かび上がった際に額縁のように見えるように、中央部は空いている。
【００５２】
なお、立体成型部品２の成型方法や材質、配置の仕方などについては、実施の形態１と同じであるため、ここでは説明を省略するが、立体成型部品２と写真フィルム５は一体になった立体成型二層部品として、前述のとおり、筐体１の上部空間に表示させる立体成型物および写真の投影画像４１の見た目とは上下逆向きに設置される。
【００５３】
図１１は、実施の形態２における投影ボックスの概略構成の別の一例を示す構成図であり、図９と同様、この投影ボックス４０を右側面方向から見た内部構成図である。図１１に示す投影ボックス４０の、図９に示す投影ボックス３０との違いは、立体成型部品２と画像結像プレート４との間に配置された透明凹凸板６、および、その透明凹凸板６の下方端部から上方端部に向けて発光するように配置されたデザイン用ＬＥＤ基板７をさらに備える点であり、筐体１の上部空間に立体成型物および写真ならびにデザインの投影画像４１を表示させるものである。
【００５４】
透明凹凸板６は、透過性の高い樹脂等の板であり、パターンや文字のデザインを樹脂面に転写するなどにより細かい凹凸の加飾が施されているもので、光を当てなければ単なる透明の板のようにしか見えないが、その端からＬＥＤなどの各種光源で導光すると、転写した凹凸が発光してデザインが浮かび上がるものである。なお、これについては、例えばイルミアレイ（登録商標）やイルミパネル（登録商標）などで知られているように公知の技術であるため、ここでは詳細な説明を省略する。
【００５５】
図１２は、この透明凹凸板６の具体例を示す説明図である。ここでは、図１２（ａ）〜（ｅ）の５種類のパターンを挙げているが、黒く表示されているデザインが、樹脂面に転写されて細かい凹凸が加飾されたパターンである。
そして、デザイン用ＬＥＤ基板７によってＬＥＤ光源を発光させなければ、図１２に示すようなデザインは投影画像４１の一部として浮かび上がってくることはないが、デザイン用ＬＥＤ基板７のＬＥＤを点灯させることにより、そのＬＥＤの色に応じて図１２に示すデザインが立体成型物や写真と一緒に投影画像（空中画像）４１として筐体１の上部空間に浮かび上がって表示される。なお、ここではデザイン用ＬＥＤ基板７は、透明凹凸板６の下方端部から上方端部に向けて発光するように配置されているが、透明凹凸板６の上方端部から下方端部に向けて発光するように配置してもよい。
【００５６】
図１３は、この発明の実施の形態２における投影ボックスの外観の別の一例を示す図である。具体的には、図１１に示す概略構成において、図８に示す例で使用されたものと同じ立体成型部品２および写真フィルム５を使用し、図１２（ａ）に示す透明凹凸板６を使用したものであり、図１２（ａ）に示すようなキラキラした星のデザインがデザイン用ＬＥＤ基板７によって筐体１の上部空間に同時に浮かび上がって表示されている様子を示す図である。
【００５７】
この場合であっても、例えば、名所・旧跡や遊園地等の観光地における風景や建物やキャラクターなどを、立体成型部品２として用意しておき、その観光地における風景や建物やキャラクターなどの立体成型部品２と、ユーザが撮った写真の画像を印刷した写真フィルム５と、透明凹凸板６に施されているデザインとを、ユーザが視認可能な投影画像（空中画像）４１として表示させる。その結果、その観光地の風景などに縁どられたユーザの写真が、透明凹凸板６に施されたキラキラしたデザインとともに投影画像（空中画像）４１として浮かび上がるので、より思い出深い記念の品になる。
【００５８】
このように、透明凹凸板６およびデザイン用ＬＥＤ基板７を用いて、キラキラしたデザインを追加することにより、投影ボックス４０の筐体１の上部空間に浮かび上がる画像に、より立体感をもたせることができる。また、図１２に示すように、透明凹凸板６のデザインとして様々なデザインを用意しておくことにより、この透明凹凸板６を取り替えるだけで違う雰囲気を楽しむことができる、という効果もある。
【００５９】
以上のように、この実施の形態２の投影ボックス３０によれば、立体成型部品２や写真フィルム５を交換したり、背景部１２Ａの背景を交換したりするだけで、名所・旧跡や遊園地等の観光地における風景や建物やキャラクターなど、様々なものに対応できるというメリットがあるとともに、その名所・旧跡や遊園地等の観光地における景色や名場面や思い出を、幻想的に空中に浮かび上がらせて再現させることができ、ユーザが、楽しかった夢のひとときを思い出して幸せな気分に浸ることができるなど、ユーザに対して癒し効果を与えることができる。
【００６０】
さらに、この実施の形態２の投影ボックス４０のように、さらに透明凹凸板６およびデザイン用ＬＥＤ基板７も備えるようにすれば、より立体感を楽しむことができるとともに、立体成型部品２や写真フィルム５だけでなく、透明凹凸板６を交換することにより、さらに様々な雰囲気を作り出すことができるので、名所・旧跡や遊園地等の観光地における景色や名場面や思い出を、より幻想的に空中に浮かび上がらせて再現させることができ、ユーザが、楽しかった夢のひとときを思い出して幸せな気分に浸ることができるなど、ユーザに対して癒し効果を与えることができる。
【００６１】
また、実施の形態２においては説明を省略したが、実施の形態１と同様に、筐体１の上面１３であるプレートカバーの裏面の画像結像プレート４が接する部分以外の部分と、側壁体１２の背景部１２Ａとの、いずれにも、筐体１の上部空間に表示させる投影画像４１の輪郭部分と同じ色が施されているようにすれば、表示させる投影画像４１の輪郭が強調されないので、自然な投影画像（空中画像）４１とすることができる。その結果、表示させた風景などおよびユーザの写真の投影画像４１をより幻想的に空中に浮かび上がらせて再現させることができ、ユーザが、楽しかった夢のひとときを思い出して幸せな気分に浸ることができるなど、ユーザに対して癒し効果を与えることができる。
【００６２】
なお、この実施の形態２における投影ボックス３０，４０は、観光地等におけるお土産品以外にも、七五三、入学記念、卒業記念、成人式、結婚式など、様々な場面での記念品としても適用することが可能である。すなわち、立体成型部品２として、様々な場面を思い起こさせるような背景等を用意しておき、実際にそのときに撮った写真の画像を印刷した写真フィルム５を用いることにより、そのときの場面や思い出を幻想的に空中に浮かび上がらせて再現させることができる。また、過去の写真の画像を印刷した写真フィルム５を用いることにより、遺影写真やペットとの思い出の写真などの投影画像４１を幻想的に空中に浮かび上がらせて再現させることも可能となる。
【００６３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００６４】
１  筐体
２  立体成型部品
３  ＬＥＤ基板
４  画像結像プレート
５  写真フィルム
６  透明凹凸板
７  デザイン用ＬＥＤ基板
１０，３０，４０  投影ボックス
１１  筐体１の底板
１２  筐体１の側壁体
１２Ａ  側壁体１２の背景部
１２Ｂ  筐体１の蓋
１３  筐体１の上面（プレートカバー）
２１，４１  投影画像（空中画像）
【図１】
2019063477.tif 000003
【図２】
2019063477.tif 000004
【図３】
2019063477.tif 000005
【図４】
2019063477.tif 000006
【図５】
2019063477.tif 000007
【図６】
2019063477.tif 000008
【図７】
2019063477.tif 000009
【図８】
2019063477.tif 000010
【図９】
2019063477.tif 000011
【図１０】
2019063477.tif 000012
【図１１】
2019063477.tif 000013
【図１２】
2019063477.tif 000014
【図１３】
2019063477.tif 000015